Podtech/llm-jp-corpus-v4-ja_patent huggingface dataset:
(57)【要約】      （修正有）【課題】絵枠を付けて掛け絵に、床または壁に貼着して床絵または壁絵を作ることができる、円形カラーモザイクの組立て画像を提供する。【解決手段】複数の凹入円孔１１を有するモールド１２と、それぞれの凹入円孔１１に装填することができる複数の円形カラーモザイク１０と、複数の係合部１５を有し、これにより該モールド１２と背板１６とを係合する絵枠１３とを備える円形カラーモザイクの組立て画像であり、或いはモールド内の円形カラーモザイクの組立て画像に対して、紙または綿網で貼着し、さらにセメントで床面または壁に施工する円形カラーモザイクの組立て画像である。【選択図】図１
0003116024.tif 000002
【実用新案登録請求の範囲】
【請求項１】
複数の凹入円孔を有するモールドと、それぞれの該凹入円孔内に装填することができる複数の円形カラーモザイクと、複数の係合部を有し、これにより該モールドと背板とを係合して掛け絵を作り上げる絵枠とを備えることを特徴とする円形カラーモザイクの組立て画像。
【請求項２】
複数の凹入円孔を有するモールドと、それぞれの該凹入円孔内に装填して画像にすることができる複数の円形カラーモザイクとを備え、紙または綿網を粘着剤で該画像に貼着し、さらにセメントで床面または壁に施工して床絵または壁絵を作り上げることを特徴とする円形カラーモザイクの組立て画像。
【考案の詳細な説明】
【技術分野】
【０００１】
本考案は、円形カラーモザイクの組立て画像に関するものであり、特に、円形カラーモザイクを凹入円孔に装填することができる組立て画像に関するものである。
【背景技術】
【０００２】
古から今に至るまで、従来の技術において、モザイクの組立て画像は、ほとんど方形のモザイクであり、構図の線条は、方形の制限で線条が硬直になり、何れも柔順な優美感に達することができない。それだけではなく、従来の技術において、構図し易い複数の凹入円孔を予め設けることにより、創意を有する円形カラーモザイクの組立て画像を完成したものが見られない。
【考案の開示】
【考案が解決しようとする課題】
【０００３】
従って、本考案は、従来の技術に見られなかった、円形カラーモザイクの組立画像を提供することを目的とする。
【課題を解決するための手段】
【０００４】
本考案の円形カラーモザイクの組立て画像は、円形カラーモザイクを凹入円孔に装填することにより作り上げることを特徴とするものであり、複数の凹入円孔を有するモールドと、それぞれの該凹入円孔内に装填することができる複数の円形カラーモザイクと、複数の係合部を有し、これにより該モールドと背板とを係合して掛け絵を作り上げる絵枠とを備える。
【０００５】
また、本考案の円形カラーモザイクの組立て画像は、複数の凹入円孔を有するモールドと、それぞれの該凹入円孔内に装填して画像にすることができる複数の円形カラーモザイクとを備え、紙または綿網を粘着剤で該画像に貼着し、さらにセメントで床面または壁に施工して床絵または壁絵を作り上げることもできる。
【考案の効果】
【０００６】
円形カラーモザイクを凹入円孔に装填することにより作り上げた組立て画像に、絵枠を付けることにより、掛け絵を作ることができる。また、セメントで施工し、組立て画像を床面または壁に貼着することにより、床絵または壁絵を作ることができる。
【考案を実施するための最良の形態】
【０００７】
本考案の円形カラーモザイクの組立て画像は、複数の凹入円孔１１を有するモールド１２と、それぞれの凹入円孔１１内に装填することができる異なった色を着色された複数の円形カラーモザイク１０と、複数の係合部１５を有し、モールド１２と背板１６とを係合する絵枠１３とを備える。
【０００８】
本考案の他の観点では、装填式の円形カラーモザイクの組立て画像は、樹脂または粘着剤を使用して円形カラーモザイク１０を凹入円孔１１中に貼着し、さらに紙または綿網でそれらのモザイクに貼着した後、セメントで床面または壁に施工することができる。
【実施例】
【０００９】
図１に示すように、本考案の円形モザイクの組立て画像は、複数の凹入円孔１１を有するモールド１２が設置される。複数の円形カラーモザイク１０は凹入円孔１１内に装填することができ、また、直接に樹脂または粘着剤を使用して複数の円形カラーモザイク１０を凹入円孔１１内に貼着することもできる。
【００１０】
この実施例において、完成した構図モールド１２は、絵枠１３の内側縁１３ａに収納することができる。絵枠１３の外側面１３１が内側面１３２よりも幅広くてフランジ１４が形成され、フランジ１４が絵枠の外側面の内側縁四周に位置している。モールド１２を絵枠１３の内側面１３２から外側面１３１に向かって入れてモールド１２を絵枠１３の中に収納する（図２参照）。
【００１１】
図２に示すように、該モールド１２を絵枠１３の中に収納した後、背板１６を絵枠１３の内側面１３２からモールド１２に貼り合せ、そして絵枠１３の内側面１３２に設置された複数の係合部１５により、モールド１２と背板１６とを絵枠１３に接合する動作が完成される。
【００１２】
別の実施例において、円形モザイクの組立て画像は、複数の凹入円孔１１を有するモールド１２が設置される。複数の円形カラーモザイク１０は、凹入円孔１１内に装填して１つの図案にすることができ、さらに紙または綿網を使用して該図案に貼着した後、セメントで床面または壁に施工する。
【００１３】
本考案は、実施例によって説明されるが、この技術を熟知した者が本考案の請求の範囲に記載された基本観念と範囲から逸脱しない状況下で変更することは可能であり、該変更は本考案の権利範囲に含まれる。
【産業上の利用可能性】
【００１４】
カラーモザイクを使用して作成する、掛け絵、床絵または壁絵などの施工時に利用することができる。
【図面の簡単な説明】
【００１５】
【図１】本考案に係る円形カラーモザイクの組立て画像の実施例を示す分解図である。
【図２】本考案に係る円形カラーモザイクの組立て画像の接合時の状態を示す側面図である。
【図３】本考案に係る円形カラーモザイクの組立て画像の図案の例を示す図である。
【図４】本考案に係る円形カラーモザイクの組立て画像の図案の例を示す図である。
【図５】本考案に係る円形カラーモザイクの組立て画像の図案の例を示す図である。
【符号の説明】
【００１６】
１０    円形カラーモザイク
１１    凹入円孔
１２    モールド
１３    絵枠
１３１    外側面
１３２    内側面
１３ａ    内側縁
１４：    フランジ
１５：    係合部
１６：    背板
【図１】
0003116024.tif 000003
【図２】
0003116024.tif 000004
【図３】
0003116024.tif 000005
【図４】
0003116024.tif 000006
【図５】
0003116024.tif 000007
(57)【要約】【課題】首が据わらず体も柔らかい上に抱きにくく動きが活発となる乳児を安全に抱きかかえ、頭を支えることで落とすのを防止し、安心して入浴させるための入浴具を提供する。【解決手段】ハンモック状の乳児を収容するための本体部１の外側に筒状の腕通し５を設ける構造とすることで頭部を安定して支えることを可能にした。また、前記本体部１に数ヶ所の線状孔３を設け、乳児に直接お湯がかからない様にするための沐浴布６の角を挿し込める構造とすることで沐浴布６の浮き上がりを防止し入浴中の乳児に安心感を与えることで不意の動きを抑え、危険を回避するようにした。【選択図】図３
0003116036.tif 000002
【実用新案登録請求の範囲】
【請求項１】
外側に筒状の腕通しを設けたハンモック状の乳児を収容するための本体部と本体部の両端に首掛け紐を連接した構造を有する木綿、ポリエステル、ウレタン等の繊維製の入浴用ダッコベルト。
【請求項２】
本体部に沐浴布の角を挿し込むための線状孔を設けた構造を特徴とする請求項１記載の入浴用ダッコベルト。
【考案の詳細な説明】
【技術分野】
【０００１】
本考案は、乳児を入浴させることに不慣れな入浴保護者が、安全にまた安心して入浴させるための入浴用ダッコベルトに関するものである。
【背景技術】
【０００２】
乳児を入浴させるには乳児の耳を押さえながら頭部を支え、体を浮かせる方法が一般的である。しかしながら、不慣れな入浴保護者は乳児を落としてはいけないことを意識するあまり両腕に力が入り、返って危険を生じることもある。そこで乳児を安全に入浴させるための安全具が求められている。
ネット地等で袋状の乳児収容部を設けると共に乳児の足出し口を設けた入浴用安全具（例えば、特許文献１参照。）があるが、ネットが乳児の体の重さにより伸び、入浴保護者の首に食い込んで首に負担が掛かったり、指をネットに絡めて自由を拘束されたり等必ずしも安心して入浴させ得るものではなかった。
【特許文献１】実開昭６３−１４２１８５
【考案の開示】
【考案が解決しようとする課題】
【０００３】
首が据わらず体も柔らかい上に抱きにくく動きが活発となる乳児を安全に抱きかかえ、安定した位置で頭を支えることで落とすのを防止し、安心して入浴させるための入浴具を提供する。
【課題を解決するための手段】
【０００４】
ハンモック状の乳児を収容するための本体部１の外側に筒状の腕通し５を設ける構造とすることで頭部を安定して支えることを可能にした。また、前記本体部１に数ヶ所の線状孔３を設け、乳児に直接湯がかからない様にするための沐浴布６の角を挿し込める構造とすることで沐浴布６の浮き上がりを防止し入浴中の乳児に安心感を与えることで不意の動きを抑え、危険を回避するようにした。
【考案の効果】
【０００５】
本考案は、図３に示すように、入浴保護者の片腕を筒状の腕通し５に通すことで安定して乳児を抱きかかえることができるため安全であると同時に入浴保護者に安心感が得られる効果を有している。また、沐浴布６の浮き上がりを防止する構造は乳児に安心感を与える効果を有している。
【考案を実施するための最良の形態】
【０００６】
首が据わらず体も柔らかい上に抱きにくく動きが活発となる乳児を安全に抱きかかえ、安心して入浴させるには通常多くの経験を要する。従って、不慣れな入浴保護者が乳児を安全に入浴させるための入浴具があれば、入浴保護者にとっても、また乳児にとっても幸いなことである。
【０００７】
本考案は、不慣れな入浴保護者でも乳児を安全に入浴させるための入浴具を提供するものである。以下、実施するための最良の形態を図面に基づき説明する。
【０００８】
図１に本考案入浴用ダッコベルトの平面図を示す。幅が概３０ｃｍ、長さ概８０ｃｍの木綿、ポリエステル、ウレタン等の繊維製布の端部にプリーツ４を設けて概１０ｃｍに絞ることで乳児を収容するためのハンモック状の本体部１を形成し、両端部に概７５ｃｍの長さの首掛け紐を連接した基本構造を有している。本体部１の端部にプリーツ４を設けて絞ることは、プリーツの開閉により、安定したハンモック状の乳児を収容する領域を形成する。
【０００９】
請求項１の考案は、図２に示すように前記基本構造の本体部１の外側端部に筒状の腕通し５を付設し、２本の首掛け紐２を結び図４に示すように首に掛け、図３に示す要領で通常利き腕と反対の腕を筒状の腕通し５に通し、安定した位置で乳児の耳を押さえながら頭部を支えることができる構造とした。腕通し５は本体部１の外側端部に１ケあればよいが左右の勝手が異なっても対応出来る様に外側両端部に２ケ付設してもよい。
【００１０】
請求項２の考案は、本体部１の数ケ所に図１に示す線状孔３を付設し、沐浴布６の角部を挿し込める構造とした。線状孔３は、直接湯が体にかからない様にするための沐浴布６の角を挿し込み留めるためのものである。沐浴布６は乳児の胸に当てることで湯に対して安心感を与えるためのものであるが、沐浴布６の角を挿し込み留めることで湯中での沐浴布６の浮き上がりを防止する。使用する線状孔３は乳児の体の大きさにより任意に選択すればよい。このために線状孔３は任意の位置に数ケ所設け容易に選択できるようにするのがよい。
【００１１】
本体部及首掛け紐の材質は乳児肌に優しい木綿製がよいが、市販のポリエステル、ウレタン等の繊維製やこれらの混紡繊維製であってもよい。
【００１２】
本考案の入浴用ダッコベルトは、ハンモック状のベルト本体部１の外側に筒状の腕通し５を付設する構造とすることにより、入浴保護者が筒状の腕通しに腕を通し、安定した位置で乳児を胸元で抱きかかえ、湯が入らないよう耳を押さえながら頭部を支え、また線状孔３を付設し、沐浴布６の角を挿し込める構造とすることで沐浴布６の浮き上がりを防止し入浴中の乳児に安心感を与えることで不意の動きを抑え、危険を回避するようにした。
【実施例】
【００１３】
本体部１の最大幅３０ｃｍ、本体部１の端部幅１０ｃｍ、首掛け紐２の長さ７５ｃｍ、線状孔３の長さ２ｃｍ、腕通し５の直径１２ｃｍの入浴用ダッコベルトを木綿布で製作し、図３に示す状態に装着して乳児を入浴させることに不慣れな入浴保護者が使用したところ、安定して胸元に抱きかかえることができるので、不安感なく入浴させることができた。また腕通し５への入浴保護者の腕の出し入れは、濡れた状態であっても容易に出し入れが可能であった。
乳児の胸に当てた沐浴布６は線状孔３に挿し込むことで湯中での浮き上がりを防止でき、結果として乳児が湯に対して驚くことがなかった。
乳児は入浴中しばしば排便をすることがあるが、ハンモック状ベルトで受け止めることで湯の中で便が広がるのを入浴保護者が立ち上がることなどによりすばやく処理することができた。
【図面の簡単な説明】
【００１４】
【図１】入浴用ダッコベルトの平面図である。
【図２】腕通し付設部分の側面図である。
【図３】入浴用ダッコベルトを装着している状態の概観図である。
【図４】入浴用ダッコベルトの首掛け紐を結び首に掛けた状態の概観図である。
【符号の説明】
【００１５】
１  本体部
２  首掛け紐
３  線状孔
４  プリーツ
５  腕通し
６  沐浴布
【図１】
0003116036.tif 000003
【図２】
0003116036.tif 000004
【図３】
0003116036.tif 000005
【図４】
0003116036.tif 000006
(57)【要約】      （修正有）【課題】スーパーやデパートなどで使用されているショッピングカートに後付で腕載せ台を装着し、利用者が利用時に腕を載せて身体を預け快適にショッピングできるようにする。【解決手段】１のショッピングカートのハンドル部材の左右両側から下方に伸びる部分と、人が握って押す左右方向のハンドル部分とにそれぞれ５の腕載せ台固定具Ｂ及び８の腕載せ台固定具Ｄで固定させることを特徴とし、さらに１のショッピングカートのハンドル部材で左右両側から下方に伸びる部分に固定する５の腕載せ台固定具Ｂと、人が握って押す左右方向のハンドル部分に固定した２の腕載せ台とを互いに回転自在で、角度調節可能に固定することを特徴とした１のショッピングカートのハンドル部に後付けするタイプの腕載せ台を提供する。【選択図】図１
0003116034.tif 000002
【実用新案登録請求の範囲】
【請求項１】
ショッピングカートのハンドル部に後付けするタイプの腕載せ台。
【請求項２】
ショッピングカートのハンドル部材の左右両側から下方に伸びる部分と、人が握って押す左右方向のハンドル部分とにそれぞれ固定具で固定させることを特徴とする請求項１に記載の腕載せ台。
【請求項３】
ショッピングカートのハンドル部材の左右両側から下方に伸びる部分に固定する固定具と、人が握って押す左右方向のハンドル部分に固定した腕載せ台とを互いに回転自在で、角度調節可能に固定することを特徴とした請求項２に記載の腕載せ台。
【考案の詳細な説明】
【技術分野】
【０００１】
本考案は、スーパーやデパートなどで使用されているショッピングカートに後付で装着する腕載せ台に関するものである。
【背景技術】
【０００２】
スーパーやデパートなどで使用されているショッピングカートはハンドル部分を握って押す構造であり、ハンドルに腕を載せ、身体を預けて歩行する歩行補助の役目はしていない。どうしてもという人は細いハンドルの上に無理に腕を乗せて押している。身体は楽であるが腕が痛く安定も悪いため不便である。
【考案の開示】
【考案が解決しようとする課題】
【０００３】
広く普及しているスーパーやデパートなどで使用されているショッピングカートに対し、不便を感じながら細いハンドルの上に無理に腕を乗せて押している状態は。身体への負担も大きく安全性に問題がある。したがって既存のショッピングカートに後から簡単に腕載せ台が装着できれば身体の支持が確実に行え、前述の欠点を解決しようとするものである。
【課題を解決するための手段】
【０００４】
本考案はショッピングカートのハンドル部材の左右両側から下方に伸びる部分と、人が握って押す左右方向のハンドル部分とにそれぞれ固定具で固定させることを特徴とし、さらにショッピングカートのハンドル部材で左右両側から下方に伸びる部分に固定する固定具と、人が握って押す左右方向のハンドル部分に固定した腕載せ台とを互いに回転自在で、角度調節可能に固定することを特徴としたショッピングカートのハンドル部に後付けするタイプの腕載せ台を提供することにより、問題点を解決している。
【考案の効果】
【０００５】
上述のように既存のショッピングカートに後から簡単に、腕を載せるのに最適な形状材質を有する腕載せ台を装着することにより、身体の支持が安全かつ確実に行え、快適なショッピングを行うことが出来る。
【考案を実施するための最良の形態】
【０００６】
腕載せ台の部分は腕を預けて身体を支持するので適度な強度を有しながら腕と接触するところは柔らかい構造とする。また既存のショッピングカートに後付出来るようにハンドル部材の左右両側から下方に伸びる部分と、人が握って押す左右方向のハンドル部分とにそれぞれ後から固定具で固定させる構造とする。さらにショッピングカート側の部材の角度や使用者の姿勢に対応できるようにショッピングカートのハンドル部材の左右両側から下方に伸びる部分に固定する固定具と、人が握って押す左右方向のハンドル部分に固定した腕載せ台とを互いに回転自在で、角度調節可能に固定する。
【実施例】
【０００７】
以下、添付図面にしたがって実施例を説明する。１はショッピングカートである。そのハンドル部に２の腕載せ台を取り付ける様子を示している。
【０００８】
２の腕載せ台は剛性のある土台の上部に快適に腕を載せることができるようにウレタン等のクッション材を配した物である。そして全体を合成皮革等のカバーで覆った構造である。そして下面は８の腕載せ台固定具Ｄを１１の腕載せ台固定具Ｄ取り付けビスにて固定するようにねじ穴が設けられている。さらに３の腕載せ台固定具Ａが図のように固定されており、腕載せ台固定具Ａには４の角度調節突起が設けられている。
【０００９】
５は腕載せ台固定具Ｂでありその上部は３の腕載せ台固定具Ａの角度調節突起４を位置調節して角度調節穴６にはめ込み、９の腕載せ台固定具Ｂ取り付けビスにて腕載せ台固定具Ａに取り付ける。またその下部には７の腕載せ台固定具Ｃが１０の腕載せ台固定具Ｃ取り付けビスで固定されておりこの７の腕載せ台固定具Ｃがハンドル部材の左右両側から下方に伸びる部分とはめ込み固定されている。これにより２の腕載せ台は取り付けたハンドルに対して回転することなくしっかりと固定できる。
【図面の簡単な説明】
【００１０】
【図１】本考案の腕載せ台をショッピングカートに装着する実施例としての組立図である。
【符号の説明】
【００１１】
１  ショッピングカート
２  腕載せ台
３  腕載せ台固定具Ａ
４  角度調節突起
５  腕載せ台固定具Ｂ
６  角度調節穴
７  腕載せ台固定具Ｃ
８  腕載せ台固定具Ｄ
９  腕載せ台固定具Ｂ取り付けビス
１０  腕載せ台固定具Ｃ取り付けビス
１１  腕載せ台固定具Ｄ取り付けビス
【図１】
0003116034.tif 000003
(57)【要約】      （修正有）【課題】着脱の容易な美容かつらを提供する。【解決手段】擬似毛髪の内側にゴム板２、または網目状のゴム紐を取り付け、同時に二つの櫛３，４のそれぞれの歯を向かい合わせて取り付ける。櫛の双方を外方向に引っ張って離せば目的を達成する。【選択図】  図１
0003116812.tif 000002
【実用新案登録請求の範囲】
【請求項１】
擬似毛髪の内側にゴム板、または網目状のゴム紐を取り付け、同時に二つの櫛のそれぞれの歯を向かい合わせて取り付けた着脱の容易な美容かつら。
【考案の詳細な説明】
【技術分野】
【０００１】この考案は美容のため、着脱の容易なかつらにかかわるものである。
【背景技術】
【０００２】櫛の歯を活用しようとする方法。
【考案の開示】
【考案が解決しようとする課題】
【０００３】従来のものは帽子状の布に擬似毛髪をとりつけたものが使用されてきたが、着脱が容易とは言いがたく。その大きさサイズ、形状ともに不満の残るものであった。
【課題を解決するための手段】
【０００４】擬似毛髪の内側にゴム板、または網目状のゴム紐を取り付けるとともに同じく二つの櫛のそれぞれの歯を向かい合わせて取り付ける。
このように構成したから双方の櫛を外方向に引っ張り、離せば装着が可能となる。
【考案の効果】
【０００５】簡単安直に着脱の容易な美容かつらを機能することができる。
【考案を実施するための最良の形態】
【０００６】ゴム板、またはゴム紐の強弱と二つの櫛の大きさ、持ちやすさを検討する。
【実施例】
【０００７】使用する櫛の大きさは持ちやすさを考慮して７〜８センチ程度で地毛にたいして食いつきの良い適切なものを選択し、ゴム板、またはゴム紐の強さも過不足の無い、同じく適切なものを選択する。
【産業上の利用可能性】
【０００８】価格の予想として、製作原価は数万円程度で可能と思われるからその流通は小さくは無いと想定できる。
【図面の簡単な説明】
【０００９】
【図１】本考案の内面図。
【符号の説明】
１  擬似毛髪            ２  ゴム板
３  櫛                  ４  櫛
【図１】
0003116812.tif 000003
(57)【要約】【課題】着座時に腰にかかる負担を軽減し、姿勢を正しく維持できる機能を備え、さらに腰痛の防止だけでなく、腰痛の改善にも効果のある製品を提供することである。【解決手段】低反発ポリウレタンフォームの芯材と芯材を包む布地から成り、連星の二つの核が腎愈、志室を押圧する位置に配され、且つ人体の前方に弧を描く腰椎の形状に沿って宛がわれるよう構成された連星形状の構造体を椅子の背当て部に係止するためのベルトを装着した構成とする。【選択図】  図４
0003116811.tif 000002
【実用新案登録請求の範囲】
【請求項１】
低反発ポリウレタンフォームの芯材と芯材を包む布地から成り、連星の二つの核が腎愈、志室を押圧する位置に配され、且つ人体の前方に弧を描く腰椎の形状に沿って宛がわれるよう構成された連星形状の構造体を椅子の背当て部に係止するためのベルトを装着したことを特徴とする腰当て具。
【考案の詳細な説明】
【技術分野】
【０００１】本考案は、椅子への着座時に腰部分に当て、腰にかかる負担を軽減するための健康器具に関するものである。
【背景技術】
【０００２】現代人は、事務作業やパソコンあるいは車の運転などで長時間、椅子やシートに着座する機会が多い。座っている時は寝ている時の約１０倍もの負担が腰にかかるといわれている。しかも、長時間の着座は、疲労により背中を丸めた前かがみの姿勢になりがちなため、内臓にもストレスがかってくる。これらが要因となる腰痛に悩む人も多い。【０００３】従来、腰と椅子の背当ての間に入れるクッションや、尻の下に敷くクッションはあった。しかし、腰にかかる負担を軽減し、姿勢を正しく維持できる機能を備え、さらに腰痛の防止だけでなく、腰痛の改善にも効果のある製品はなかった。
【考案の開示】
【考案が解決しようとする課題】
【０００４】本考案の技術的課題は、上述した問題を解消するため、着座時に腰にかかる負担を軽減し、姿勢を正しく維持できる機能を備え、さらに腰痛の防止だけでなく、腰痛の改善にも効果のある製品を提供することである。
【課題を解決するための手段】
【０００５】上記課題を解決するため、本考案は低反発ポリウレタンフォームの芯材と芯材を包む布地から成り、連星の二つの核が腎愈、志室を押圧する位置に配され、且つ人体の前方に弧を描く腰椎の形状に沿って宛がわれるよう構成された連星形状の構造体を椅子の背当て部に係止するためのベルトを装着した構成による腰当て具とする。
【考案の効果】
【０００６】人の脊椎は７個の頚椎、１２個の胸椎、５個の腰椎および仙椎、尾骨から構成され、横から見ると頚椎は人体の前方に弧を描き、胸椎は人体の後方に弧を描き、腰椎ではまた前方に弧を描いている。人体の前方、腹部とは東洋医学でいうところの「陰」であり、後方、背中側は「陽」であり、健常な身体とはこの陰陽のバランスが保たれている状態のことでもある。【０００７】ところが前かがみの着座姿勢とは、すなわち腰椎が逆方向に反り返っている状態であり、見た目の構造的な不安定さだけだなく、陰陽のバランスが崩れた不健康な姿勢であるといえる。【０００８】本考案は、人体の前方に弧を描く腰椎の形状に沿って宛がわれるよう構成されているため、腰椎が逆方向に反り返るのを防ぎ、正しい姿勢を長時間維持することができるという効果がある。【０００９】さらに、連星形状の二つの核部分が、臍の真後にある第二腰椎の中央から左右に指２本分離れた所にある腎愈、及び指４本分離れた所にある志室を押圧するように構成されている。腎愈、志室は腎臓を活性化するツボであるため、腎機能の低下が一因となっている腰痛を改善するという効果もある。
【発明を実施するための最良の実施の形態】
【００１０】本考案は低反発ポリウレタンフォームの芯材と芯材を包む布地から成り、連星の二つの核部分が腎愈、志室を押圧する位置に配され、且つ人体の前方に弧を描く腰椎の形状に沿って宛がわれるよう構成された連星形状の構造体を椅子の背当て部に係止するためのベルトを装着した構成とする。
【実施例】
【００１１】低反発ポリウレタンフォームの芯材と芯材を包む布地から成り、連星の二つの核部分１が腎愈２、志室３を押圧する位置に配され、且つ人体の前方に弧を描く腰椎４の形状に沿って宛がわれるよう構成された連星形状の構造体５を椅子の背当て部６に係止するためのベルト６を装着した。【００１２】前述のように構成された考案品は、人体の前方に弧を描く腰椎の形状に沿って宛がわれるので、腰椎が逆方向に反り返るのを防ぎ、正しい姿勢を長時間維持することができ、さらに連星状の二つの核部分が、腎臓を活性化するツボである腎愈、志室を押圧するため、腎機能の低下が一因となっている腰痛を改善するという効果がある。
【図面の簡単な説明】
【図１】考案品の正面図
【図２】考案品の側面図
【図３】考案品の使用状態を表す部分概略図
【図４】考案品の使用状態を表す全体概略図
【符号の説明】
１  核部分
２  腎愈
３  志室
４  腰椎
５  構造体
６  背当て部
７  ベルト
【図１】
0003116811.tif 000003
【図２】
0003116811.tif 000004
【図３】
0003116811.tif 000005
【図４】
0003116811.tif 000006
(57)【要約】【課題】遮光カーテンは染色加工後の商品の遮光率を測定して、カーテンの等級を決定している。染色後の濃色商品と淡色商品により遮光率の違う商品となり、同一商品の中で等級の違う商品が出来て商品価値を下げている。そこで染色の前の晒し加工後の段階で1級である遮光率99.99％以上の性能を可能とする遮光カーテンを開発する。【解決手段】  本考案は経緯二重組織を考案し、遮光カーテンを製織した。実施例として経緯二重組織、図1で示す。図の経糸1a、緯糸の他色3c、緯糸の黒色糸2b,で製織し、経糸、緯糸共に単糸の太さを、2.0デニール以下の糸にて製織し、この遮光カーテンの経糸、緯糸の仕上げ密度は、経糸密度336−380本/インに、緯糸密度114−130本/インチ以上の規格にて製織する。【選択図】  図1
0003116853.tif 000002
【実用新案登録請求の範囲】
【請求項１】
遮光カーテンの組織に、経緯二重組織で表組織と裏組織を変えた
組織を開発する事で遮光率が、製品の晒し加工工程後の段階で遮光
度1級の99.99％以上を可能とする遮光カーテンである。
【請求項２】
遮光カーテンの組織に、経緯二重組織を使用して、単糸デニールを共に2デニール以下の経糸と緯糸を使用し、経糸の仕上げ密度を
336−380本/インチ、緯糸の仕上げ密度114―130本/インチ以上で
製織することでドレープ性の良い遮光カーテンである。
【考案の詳細な説明】
【技術分野】
【０００１】
本考案は、遮光カーテンの分野にて遮光率を生地晒し加工段階で
遮光率９９．９９％以上を可能とするカーテンである。
【０００２】
本考案は、遮光カーテンの分野にて経緯二重組織を使用するために従来の遮光カーテンよりドレープ性が良いカーテンである。
【背景技術】
【０００３】
従来の遮光カーテンは、両面サテン組織、緯糸二重組織片面サテン
で製織された物が一般的で、染色加工の各色種で遮光率が変動して９９．９９％以上の遮光１級の製品を安定的に供給出来ない状態である。
【考案の開示】
【考案が解決しようとする課題】
【０００４】
従来の遮光カーテンは、染色加工後に染めた生地の遮光率を測定して、遮光の等級を決定するために、染色加工後の色の濃色商品、淡色商品により、遮光率が変動している。その結果として同じ商品の中で色の種類により等級の違いが発生して、商品価値を下げている。
本考案は、染色する前の晒し加工工程後の生地段階にて、遮光率が
一級である９９・９９％以上を可能とする商品を開発して、染色後の濃色、淡色での遮光率での等級の違いの問題点を解決する。
【課題を解決するための手段】
【０００５】
本考案は、カーテンの組織に経緯二重組織を使用した遮光カーテン
を製織した。
実施例として２点の経緯二重組織図１，図３、と立体拡大図2、図4、
で表示する。
図の経糸1aと緯糸の黒糸2bとで裏組織を,経糸1aと他の色緯糸3cで表組織を作り、経糸と緯糸共に単糸デニールが２デニール以下の糸を使用する。この遮光カーテンの経糸と緯糸の仕上げ密度は、経糸密336−380本／インチであり、緯糸密度114−130本／インチ以上の規格にて製織する
【図面の簡単な説明】
【０００６】
【図１】本考案実施の織物１の組織図（  平面図  ）
【図２】本考案実施の織物１の（  立体拡大図  ）
【図３】本考案実施の織物２の組織図（  平面図  ）
【図４】本考案実施の織物２の（  立体拡大図  ）
【符号の説明】
【０００７】
図１，図２の符号は1,4,7,10,13,16,19,は本考案実施織物１の二重織物の表面を構成する他色の緯糸3cである。2,3,5,6,8,9,11,12,14,15,17,18,20,21,は本考案実施織物１の二重織物の裏面を構成する黒色糸2bである。22,23,24,25,26,27,28,29,30,31,32,33,34,35,は本考案実施織物１の二重織物１完全分の経糸1aである。
【０００８】
図３，図４の符号は2,5,8,11,14,17,20,22,26,29,32,35,38,41,44,47,は本考案実施織物１の二重織物の表面を構成する他色の緯糸3cである。1,3,4,6,7,9,10,12,13,15,16,18,19,21,22,24,25,27,28,30,31,33,34,36,37,39,40,42,43,45,46,48,は本考案実施織物１の二重織物の裏面を構成する黒色糸2bである。49,50,51,52,53,54,55,56,57,58,59,60,61,62,63,64,65,66,67,68,69,70,71,72,73,74,75,76,77,78,79,80,81,82,83,84,は本考案実施織物2の二重織物１完全分の経糸1aである。
【図１】
0003116853.tif 000003
【図２】
0003116853.tif 000004
【図３】
0003116853.tif 000005
【図４】
0003116853.tif 000006
(57)【要約】【課題】本考案はロールティッシュを使用するためのロールティッシュケースで、ロールティッシュを支障なく継続して使用するための措置を設け、ロールティッシュの切断後の巻き戻りを防止する【解決手段】本考案はケース１の蓋２の後方に開口部３をコの字切り込みの舌片方式４として、その加圧により開口部からのロールティッシュ９の切断後の巻き戻りを防止しケース１の内部にはＵ字型ロールティッシュ受６の底面の切り込み７を入れ付勢手段を設けたことによりロールティッシュ９が使用しかるくなればその付勢により上にもち上がり開口部へのＢの間隔を保つことが出来ロールティッシュ９の揺れをなくし巻き戻りを防止する。【選択図】  図１
0003116866.tif 000002
【実用新案登録請求の範囲】
【請求項１】
ロールティッシュを収納し得る容積を有したケースの前側に切断用の歯を有し、かつロールティッシュの端部を引き出すための開口部を有するロールティッシュケースに於いて、ケース内部にロールティッシュを受けるU字形のロール受を有し、前記ロール受を上方に押し上げる付勢手段を設け、ロールティッシュの引き出しの円滑性とロールティッシュ切断後の巻き戻り防止手段とすることを特徴とするロールティッシュケース。
【請求項２】
請求項１のロール受の底面に切込みを入れ、その端部を前記ロール受を上方に押し上げる付勢手段としたことを特徴とする請求項１のロールティッシュケース。
【請求項３】
ロールティッシュの端部を引き出すための開口部がコの字状の切込加工を施したことを特徴とする請求項１のロールティッシュケース。
【考案の詳細な説明】
【技術分野】
【０００１】
本考案はケースに収納したロールティッシュをケースの外方に引き出し、ケースの前側に設けた歯で切断し使用するロールティッシュケースに関する。
【背景技術】
【０００２】
通常の生活の場や家庭・病院施設等に於いて、箱入りティッシュは高価なため、より安価なロールティッシュを簡単に使用できるものが望まれていた。その1つの方法として、ケースにロールティッシュを収納し、ロールティッシュの端部を引き出して使用し、ロールティッシュが無くなれば新しいロールティッシュを入れるというロールティッシュケースが公開実用昭和６３−１８６６１７などで提案されているが、ロールティシュの引き出し時に回転が円滑に行われなかったり、引き出し切断後のロールティシュがケースの内部に戻ってしまう、いわゆる巻き戻り現象が生ずる問題があった。
【考案の開示】
【考案が解決しようとする課題】
【０００３】
ケースの前側に切断用の歯を有し、かつケース上部にロールティッシュの端部を引き出すための開口部を有するケース内にロールティッシュを入れ、ロールティッシュを開口部より引き出す際、ロールティシュの回転が円滑でないとロールティッシュが揺動してその反動で巻き戻り現象が生じる。また、図５に示す通りロールティッシュ９のＡ部と開口部３の間Ｂ部が揺れて、ロールティッシュ切断時に、ロールティッシュ端部がケース内に戻り、再度使用するには開口部３にロールティッシュの端部をセットし直さなければならなかった。
【課題を解決するための手段】
【０００４】
図６に示す通り、ロール受６を上方に押し上げる付勢手段を設けることにより、ロールティッシュが軽くなれば上に持ち上がり、巻き戻り現象の原因である、ロールティッシュ９のＡ部と開口部３との間隔Ｂを最少に保つことにより、ロールティッシュの引き出しの円滑性とロールティッシュ切断後の巻き戻り現象が防止できる。また、ロールティッシュの端部を引き出すための開口部を図２のようにコの字状の切込加工とすることにより、ロールティッシュが切り込み部を通過し切断後、舌片４により荷重を与える構造となるので、ロールティシュの巻き戻り現象を防止することができる。
【考案の効果】
【０００５】
上述の通り、ロールティッシュが使用され重量が軽くなった時でも、U字形底板を上方に押し上げるようにしているので、巻き戻り現象の原因であるロールティッシュ９のＡ部と開口部３との間隔Ｂを最少に保つことができ、遥動を抑えてロールティッシュの引き出しの円滑性とロールティッシュ切断後の巻き戻り現象をなくすことができる。
なお、ロール受６の底部に切り込みを入れ、その切込み部７を、前記ロール受６を上方に押し上げる付勢手段とすることにより、加工が簡単でかつロール受６と一体なので価格的にも有利となる。
また、ロールティッシュの端部を引き出すための開口部３をコの字状の切込加工とすることにより、ロールティッシュが切り込み部を通る際、舌片４により荷重を与える構造となるので、ロールティッシュ切断後の巻き戻り現象をなくすことができる。また、開口部は切り込み加工なので、図３で示す通りロールティッシュの使用時以外は舌片４は閉じるので、外部からの塵埃等の侵入を防ぐことが出来、衛生上有利となる。
【考案を実施するための最良の形態】
【０００６】
以下、本考案の実施の形態について図１〜図６を用いて説明する。
【０００７】
（実施の形態）
ケースの前側にロールティッシュ切断用の鋸状の歯５を有する。
ケース上面は、ロールティッシュ９を入れるための蓋２とし、その蓋２の後方部にロールティッシュ９を引き出すためのコの字状の切り込み加工を施した開口部３を有する。
ケース内部には、ロールティッシュ９を受けるためのＵ字形をしたロール受６を有する。
ロール受６の底面には、切り込みにより形成した切り込み部７を⊂形に曲げロール受６を上方に押し上げる付勢手段としている。
ロール受の一端はケース内面のＣ部に固定されているが、多端は固定せずケース内面後方にフリーとする。
【図面の簡単な説明】
【０００８】
【図１】本考案の使用状態を示す斜視図である。
【図２】蓋２の後方に設けたコの字状の切込み加工を施した開口部３を示す上面図である。
【図３】図２のｘ−ｘ部の断面を拡大した図である。
【図４】ロール受６の切り込み部７の切り込み状態を示した図である。
【図５】ロールティッシュ９が使用初期でまだ直径が大きく重量が重い時のロール受６の切り込み部７の状態を示した断面図である。
【図６】ロールティッシュ９が殆ど使用されて直径が小さく重量が軽くなった時のロール受６の切り込み部７の状態を示した断面図である。
【符号の説明】
【０００９】
１  ロールティッシュケース
２  蓋
３  開口部
４  舌片
５  歯
６  ロール受
７  ロール受底面に設けた切込み部
８  蓋の支え
９  ロールティッシュ
Ａ  ロールティッシュの分離点
Ｂ  Ａと３の間隔
Ｃ  ロール受６のロールティッシュケース内面の固定部
【図１】
0003116866.tif 000003
【図２】
0003116866.tif 000004
【図３】
0003116866.tif 000005
【図４】
0003116866.tif 000006
【図５】
0003116866.tif 000007
【図６】
0003116866.tif 000008
(57)【要約】      （修正有）【課題】積柱式ポール昇降機の送りねじ駆動部ハンドル軸にメカニカルブレーキユニットを取り付けることによって、昇降作業中にポールおよび積載物の落下を防止し、安全性を高めた昇降機を提供する。【解決手段】送りネジを回転させるハンドル軸に、メカニカルブレーキユニットを取付け、ポールの昇降中に回転ハンドルを手から離しても、ブレーキユニットの摩擦板とデスクハブが密着してハンドル回転にブレーキ力が発生し、ポールおよび積載物の自然落下を防止する昇降機である。【選択図】図１
0003116810.tif 000002
【実用新案登録請求の範囲】
【請求項１】
ボールねじ駆動軸にメカニカルブレーキユニットを使用したポール昇降機。
【考案の詳細な説明】
【技術分野】
【０００１】この考案は、積柱式ポール昇降機の送りネジ駆動部のハンドル軸に、メカニカルブレーキユニットを使用することによって昇降作業中に、ポールおよび積載物の落下を防止し安全性を高めることを特徴とするものである。
【背景技術】
【０００２】従来の積柱式ポール昇降機は、構造簡単な落下防止機構を備えたものであった。
【考案が解決しようとする課題】
【０００３】この昇降機には、次のような欠点があった。
（１）落下防止機構は、ポール軸にポール材と摩擦材料とのすべり摩擦力を応用した、構造簡単な落下防止機構であった。
（２）昇降操作のストローク作業中、積載重量およびポール全体の重量が大きくなった場合、ストローク作業の挙動のちょつとしたばらつきで、積載物およびポールが落下する事故があり安全性に不安があった。
本考案は、これらの欠点を除くためになされたものである。
【課題を解決するための手段】
【０００４】送りねじを回転させるハンドル軸に、メカニカルブレーキユニットを取り付け、ポールの昇降中に回転ハンドルを手から離しても、ブレーキユニットの摩擦板とデスクハブが蜜着してハンドル回転軸にブレーキ力が発生し、ポールおよび積載物の自然落下を防止する昇降機である。
【考案の効果】
【０００５】送りねじの昇降ハンドルに、メカニカルブレーキユニットが組み込まれているので、昇降作業中にどの位置で作業を中止しても、その時点でブレーキ力が発生するので自然落下することなく安全である。
【考案を実施するための最良の形態】
【０００６】以上本考案の実施例について説明する。
この昇降機は、（２）ハンドル車を回すと（３）かさ歯車、（４）アイドル軸、（５）平歯車を介して（１）送りねじを回転させる。（１）送りねじが回転することで、（７）ブラケットが上昇、下降する構造となっている。
本考案は、（３）かさ歯車の軸と、（２）ハンドル車の間に（１）メカニカルブレーキユニットを設けることで、任意の位置でハンドル車から、手を離してもメカニカルブレーキユニット内に摩擦力が発生して、自然落下を防止する構造である。
【図面の簡単な説明】
【０００７】
【図１】本考案の正面図
【図２】メカニカルブレーキの詳細図
【符号の説明】
【０００８】１メカニカルブレーキユニット    ２ハンドル車
３かさ歯車                      ４アイドル軸
５平歯車                        ６送りねじ
７ブラケット
【図１】
0003116810.tif 000003
【図２】
0003116810.tif 000004
(57)【要約】      （修正有）【課題】荷車の本体上部に粘着剤を施して移動品自体に可動部の車輪を取り付けダンボール等の移動を可能とした荷車の提供。【解決手段】粘着剤５を施された、荷車１を複数個ダンボール箱等の底面に貼り付ける事によりダンボール箱等の移動を簡単にする。【選択図】図１
0003116801.tif 000002
【実用新案登録請求の範囲】
【請求項１】
荷車の上部に粘着剤を保持した荷車である。
【考案の詳細な説明】
【技術分野】
【０００１】本考案は、ダンボール箱等の箱状の物に簡単に脱着出来、移動する為の荷車である。
【背景技術】
【０００２】従来、ダンボール箱等を移動する為には、一般にキャスターと呼ばれている台車に乗せて移動していた。しかし、キャスターのない所では、腕で抱きかかえて移動している。
【考案の開示】
【考案が解決しようとする課題】
【０００３】一定作業所内でダンボール箱等を移動するには、キャスターを利用すればキャスターの大きさに応じていくらでもダンボール箱等を移動する事が出来るが例えば、大型電気店等でパソコンを個人が購入した場合、５ｋｇ〜１５ｋｇの重量あるダンボール箱に納入された品物を自宅まで持って帰るには、いくらロープを掛け、持ち手を着けられていても大変な苦労がいる事である。もし、この時、安価で軽量で返却不要で脱着が簡単なキャスターを品物の底に取り付けば、非力な人でも楽に品物を自宅に持ち帰る事が出来る様に前述の欠点を解決しようとする本考案である。
【課題を解決するための手段】
【０００４】本考案は、ダンボール箱等の箱状の物の持つ強度を利用し、それ自体をキャスターの本体とし、可動部分の車輪を持った本考案の荷車を粘着剤にて取付ける事により、箱状の物と荷車が一体化し、キャスターとして移動する事が出来る様に考案された荷車である。【０００５】ダンボール箱等の底面と、荷車を取り付ける為に、本考案の荷車の天板上部に脱着自在な粘着力のある接着剤を保持している。【０００６】粘着剤の上部には未使用時に、他の物に貼り付かないようにする為の保護シールが貼ってある。
【考案の効果】
【０００７】上述の様に、本考案の粘着剤付き荷車は移動したいダンボール箱等の底に直接貼り付ける為、荷車自体をネジやボルトで止める事なく作業が非常に簡単であり、従来の様にかさばるキャスターがなくても簡単に移動することができる。
【考案を実施するための最良の形態】
【０００８】荷車の上部には粘着剤を施し、粘着剤の上部には保護シールが貼り付けてある。
荷車の下部には複数個の軸受が取り付けてあり、それぞれの軸受には車軸と連結された車輪が数個取り付けてある。この荷車にてダンボール箱等の底面に荷車が数個取り付けられ移動が楽々と行われる。
【実施例】
【０００９】以下、図面に従って一実施例を説明する。１、２は耐久性のプラスチック等適宜素材にて一体化形成された１荷車、２は軸受であり、軸受には、  ３車輪が装着され、４車軸にて連結されている。１荷車の上部面には、５粘着剤を施し、その上面には、６保護シールを貼り付ける。【００１０】移動したいダンボール箱等の底面に、本考案の荷車の保護シールを剥がし移動方向に車輪が向く様に荷車を貼り付ける。また、適当な間隔をあけ少なくともあと１ヶ所に荷車を貼り付けて最低４輪となる様取り付ける事により、移動がスムーズとなる。
【図面の簡単な説明】
【００１１】
【図１】本考案の立面正面図であり一部切欠断面図である。
【図２】本考案の立面側面図であり一部切欠断面図である。
【図３】本考案の荷車の実施例を示す立面側面図である。
【符号の説明】
【００１２】１  荷車
２  軸受
３  車輪
４  車軸
５  粘着剤
６  保護シール
７  ダンボール箱等
【図１】
0003116801.tif 000003
【図２】
0003116801.tif 000004
【図３】
0003116801.tif 000005
(57)【要約】【課題】虫を捕獲可能な捕虫性物質を、衛生的に使用できる捕虫器を提供する。【解決手段】捕虫器は、側面にハエ等が侵入可能な長方形の侵入口３を有する捕虫ケースと、捕虫ケースの内部に取り外し自在に取り付けられた粘着捕虫性物質とから構成される。捕虫ケースは、プラスチック素材、アクリル、ステンレス等の金属を、四角柱体、長方形柱体、または円形柱体で形成され、前記粘着物体は紙製材料を用いて形成されているもので有り、形状は捕虫ケースに応じて○形、△形、＋形とすることによりムラなく使用し、取り替えることが出来る。粘着物体は、捕虫ケースの側面と離間して、捕虫ケース４の差込部に差し込んだ状態に取付けられる。捕虫器は、粘着面が露出していないため、捕獲された虫が直に見え難く、また、衣類や手等が直接粘着面に触れることも少なくなるため、使用者等の不快感が減少し、美観的、衛生的に使用できる。そのため、不特定多数の人が出入りする飲食店等にも設置することができ、清潔で衛生的な環境が保たれる。【選択図】  図１
0003116804.tif 000002
【実用新案登録請求の範囲】
【請求項１】
捕獲対象の虫が内部空間に侵入可能な侵入口を有する捕虫ケースと、粘着性物質の粘着力を利用して前記虫を捕獲する粘着物体を、前記内部空間に取付け可能な取付け手段とを具備することを特徴とする捕虫用ケース。
【考案の詳細な説明】
【技術分野】
【０００１】  本発明は、捕虫用ケースおよび捕虫器に関するものであり、特に粘着性物質の粘着力を利用して虫を捕獲する捕虫用ケースおよび捕虫器に関するものである。
【従来技術】
【０００２】  地球上の多くの動物の中には、衛生上、人類に種々の害を与える動物群が存在する。中でもハエ、ゴキブリおよび蚊などの衛生害虫は、一般家庭、オフィスビル、および事業場等の居住環境の中で、人間に対して衛生的および心理的な害を与えている。そのなかで、ハエを駆除するには従来から知られている、粘着剤を塗布した油紙や合成フィルムを天井から吊るし、飛来するハエを粘着性物質によって捕獲する、いわゆるハエ取り紙を使用することが多かった。
【０００３】  しかし、飲食店等においては、人の出入りも多いため、その際に蚊、ブユおよび蛾等が入りやすい。飲食店等にとって、衛生管理をすることと清潔感を客に覚えさせることは店舗のイメージにとって非常に重要であるため、ハエなどの害虫が店内を飛びまわらないよう、駆除することは大きな問題であった。しかし飲食店等では、食品を取り扱う性質上、殺虫剤は極力使用しないことが望ましく、衛生害虫の駆除には殺虫剤以外の様々な方法が試されてきた。
【０００４】  以上の従来技術は公知のものであり、出願人はこの従来技術が記載された文献を、本願出願時においては知見していない。
【考案が解決しようとする課題】
【０００５】上述したハエ取り紙は、捕虫については優れているが、粘着面が露出した状態であり、家庭の居間や、台所等に吊り下げて使用する為、特に、インテリアの美観を大きく損い、捕獲されたハエが使用者に不快に感じたり、又、人間の衣服や手が触る可能性もあるため、使用者は従来のハエ取り紙を使用することに躊躇することもあった。
【課題を解決するための手段】
【０００６】  そこで本発明は上記実情に鑑み、虫を捕獲可能な粘着性物質を、美観、衛生的に使用できる捕虫用ケースおよび捕虫器を提供することを課題とするものである。
【考案を実施するための最良の形態】
【０００７】  請求項１の発明にかかる捕虫用ケースは、捕獲対象の虫が内部空間に侵入可能な侵入口を有する捕虫ケースと、粘着性物質の粘着力を利用して前記虫を捕獲する粘着物体を前記内部空間に着脱自在な取付け手段とを具備するものである。
【実施例】
【０００８】  ここで捕獲対象の虫とは、ハエ・蚊・ブユ・アブ・蛾・ゴキブリ・クモ等が挙げられる。【０００９】  粘着剤が塗布された、さらに、これを取り外し移動可能な取付け手段とは、天井に吊り下げたり、あるいは、捕獲対象の虫が頻繁に発生する場所に直接置いておくなどが例示される。【００１０】  したがって、請求項１の考案の捕虫用ケースは、捕獲対象の虫を捕獲する粘着物体をその内部空間に取付け手段を介して取付けるケース、さらに、虫は粘着物体の内部空間に侵入口を経て侵入することが可能であるが、人間の手や衣類は入りにくい。【００１１】請求項１の考案の捕虫用ケースの構成は、侵入口を設けた構造により捕虫器の構造を保持するため、接着剤、テープ等を使用せず可能となり、粘着物体の取替え作業が容易になる。【００１２】請求項１の発明にかかる捕虫用ケースは、プラスチック素材、アクリル、ステンレス等の金属を、前記粘着物体は紙製材料を用いて形成されているものであり、ステンレス等の金属製捕虫用ケースの侵入面は、適当な間隔の桟、又は網状で形成される。【００１３】  したがって、請求項１の考案の捕虫用ケースでは、捕虫用ケースがプラスチック、アクリル、ステンレス等の金属から成形されているため、容易に清掃することができ、捕虫に応じて粘着物体のみの取替えで利便に使用することが出来る。【００１４】  請求項１の考案にかかる捕虫器は、粘着性物質の粘着力によって前記虫を捕獲する捕獲手段と、前記虫が内部空間に侵入可能な侵入口を有する捕虫ケース、および前記捕獲手段を前記内部空間に取付ける取付け手段を備える前記捕虫用ケースとを具備するものである。【００１５】  したがって、請求項１の考案の捕虫器は、虫が侵入可能な侵入口が形成されている捕虫ケースの内部に捕獲手段が取り付けられているため、虫が侵入口から侵入すると、粘着性物質の粘着力により捕獲される。この場合、虫が飛びまわる空間が限定されるため、捕虫用ケースがない場合に比べて捕獲率が格段に上がる。そして、前述の捕獲手段は、捕虫ケース内部に格納されているため、捕獲された虫は、使用者等から直に見えにくくなる。また、使用者等の衣服や手等が粘着性物質に直接触れることもなくなるため、使用者等の不快感が減少するとともに、粘着性物質の粘着力の低下も防止される。さらに、廃却時も上述と同様の理由により、不快感が減少する。また、粘着性物質が捕虫ケース内部に格納されていることにより、粘着面が露出していないため、捕虫器を直に天井等に吊り下げたり、床および棚等の上に設置することが可能となる
【考案の効果】
【００１６】  以上説明したように本考案の捕虫器は、前述した機能だけでなく、捕虫器そのものの大きさを変えることによって一般家庭用、業務用等、場所や使い方によって多様な大きさの捕虫器として使用できる。又、据え置き用捕虫器の底部分に粘着性物質を設置することにより、ゴキブリの捕獲も行うことが出来る。
【図面の簡単な説明】
【００１７】
【図１】  吊り下げ用捕虫器の形を説明した図である。
【符号の説明】
【００１８】  １    吊り下げとめ具
２    蓋
３    各侵入口
４    粘着物差し込み口
【００１９】
【図２】
据え置き用捕虫器の形を説明した図である。
【符号の説明】
【００１９】  １    蓋
２    桟
３    捕虫ケース本体
４    粘着物差し込み口
５    ゴギブリ侵入口
【図１】
0003116804.tif 000003
【図２】
0003116804.tif 000004